(57)【要約】【課題】従来の防音扉を改良し、その防音性能を上げることによって、グレモン錠を使用することなく、要求される防音性能を満たすことが可能な防音扉の提供。【解決手段】框２と、この框２に接合された縦桟３と、框２および縦桟３を表裏両面から挟み込む面板４ａとから構成される空間にグラスウールボード５を充填した防音扉１であって、縦桟３には櫛状の吸音部材６が固定され、この櫛状の吸音部材６の歯の部分をグラスウールボード５に接触させたものである。本発明の防音扉では、音源側の面板４ａで受けた音（振動）は主に内部のグラスウールボード５により吸収されるとともに、音源側の面板４ａで受けた音の一部は縦桟３を経て、この縦桟３に固定された櫛状の吸音部材６の各歯からグラスウールボード５に伝達され、グラスウールボード５により吸収される。【選択図】  図１
2006152724.tif 000002
【特許請求の範囲】
【請求項１】
框と、この框に接合された桟と、前記框および桟を表裏両面から挟み込む面板とから構成される空間に、防音材を充填した防音扉であって、前記桟には櫛状部材が固定され、この櫛状部材の歯の部分を前記防音材に接触させた防音扉。
【請求項２】
前記櫛状部材の歯が、前記桟の通り方向に対して直角方向を向くように配置された請求項１記載の防音扉。
【請求項３】
前記桟と面板との間に帯板状の防音シートを介在させた請求項１または２に記載の防音扉。
【請求項４】
前記桟は、複数本配設され、
前記帯板状の防音シートは、前記複数本の桟の表面側および裏面側に交互に配設された請求項３記載の防音扉。
【請求項５】
前記面板の内面全面に防音シートを貼り付けた請求項１から４のいずれかに記載の防音扉。
【発明の詳細な説明】
【技術分野】
【０００１】
本発明は、防音機能を有する防音扉に関する。
【背景技術】
【０００２】
防音扉としては、例えば特許文献１，２に記載のものが知られている。これらの防音扉は、框と、この框に接合される桟と、框の内外両面に固定される面板とから構成される空間に、グラスウール等の防音材を充填したものである。また、特許文献２には、音源側に位置する面板の裏面に、鉛粉、鉄粉などの金属粉末をゴム、軟質プラスチックに添加配合してなる厚み２〜５ｍｍのダンピングシートを貼着することにより防音性能を向上させることが記載されている。
【０００３】
また、従来の防音扉は、要求される防音性能を確保するため、扉の閉鎖時に扉本体と扉枠との間を密閉するグレモン錠を取り付けている。グレモン錠は、ハンドルレバーの揺動により上下一対のロッドを軸方向に移動させ、各ロッドの先端部に設けたテーパ部が扉枠の上枠および下枠に取り付けたロッド受け具内のローラと接触するカム作用により、扉本体を扉枠の内周に設けた戸当たり枠側に移動させ、その戸当たり枠の表面に設けたシール部材に扉を圧接させるものである（特許文献３参照。）。
【０００４】
【特許文献１】特開平１０−６１３４２号公報
【特許文献２】実開昭５９−１９２５９５号公報
【特許文献３】特開９−４１７６３号公報
【発明の開示】
【発明が解決しようとする課題】
【０００５】
グレモン錠は部品点数が多く、構造が複雑であるため、防音扉の重量が増えるうえ、製造コストも高くなる。また、戸当たり枠の表面に設けたシール部材に扉を圧接させるので、長期の使用によりシール部材が劣化すると所定の防音性能を発揮することができなくなる。さらに、ハンドルレバーの揺動により扉をシール部材に圧接させるため、ハンドルレバーの操作が重いという問題がある。
【０００６】
そこで、本発明においては、従来の防音扉を改良し、その防音性能を上げることによって、グレモン錠を使用することなく、要求される防音性能を満たすことが可能な防音扉を提供することを目的とする。
【課題を解決するための手段】
【０００７】
本発明の防音扉は、框と、この框に接合された桟と、框および桟を表裏両面から挟み込む面板とから構成される空間に、防音材を充填した防音扉であって、桟には櫛状部材が固定され、この櫛状部材の歯の部分を防音材に接触させたものである。本発明の防音扉では、音源側の面板で受けた音（振動）は主に内部の防音材により吸収される。また、音源側の面板で受けた音の一部は桟を経て、この桟に固定された櫛状部材の各歯から防音材に伝達され、防音材により吸収される。
【０００８】
ここで、櫛状部材の歯は、桟の通り方向に対して直角方向を向くように配置されることが望ましい。これにより、櫛状部材の歯先は桟から最も遠くに配置されることになり、振動しやすくなるので、桟を経て伝達される音をより効率良く防音材に伝えて吸収させることが可能となる。
【０００９】
また、本発明の防音扉は、桟と面板との間に帯板状の防音シートを介在させたものであることが望ましい。これにより、面板から桟に伝達される音は、これらの間に介在させた帯板状の防音シートにより一部吸収された後、桟を経て、この桟に固定された櫛状部材の各歯から防音材に伝達され、防音材により吸収される。また、面板から桟に伝達される音の一部が帯板状の防音シートにより一部吸収されるので、桟を経て他方の面板に伝達される音を少なくすることができる。
【００１０】
ここで、桟は、複数本配設され、帯板状の防音シートは、複数本の桟の表面側および裏面側に交互に配設されたものであることが望ましい。これにより、面板から桟に伝達する音は、表面側または裏面側のいずれか一方で帯板状の防音シートにより一部吸収されるので、桟を経て他方の面板に伝達される音を少なくすることができる。また、この帯板状の防音シートが配設されない面は、桟と面板とがより接近してしっかりと固定されるので、桟が面板の補強となり、音を受ける面板そのものの振動を抑えることができる。
【００１１】
また、本発明の防音扉は、面板の内面全面に防音シートを貼り付けたものであることが望ましい。これにより、面板で受けた音は、この面板の内面全面に貼り付けられた防音シートによって一部吸収された後、桟を経て、この桟に固定された櫛状部材の各歯から防音材に伝達され、防音材により吸収される。
【発明の効果】
【００１２】
（１）框と、この框に接合された桟と、框および桟を表裏両面から挟み込む面板とから構成される空間に、防音材を充填した防音扉であって、桟には櫛状部材が固定され、この櫛状部材の歯の部分を防音材に接触させたことにより、音源側の面板で受けた音は主に内部の防音材により吸収されるとともに、音源側の面板で受けた音の一部は桟を経て、この桟に固定された櫛状部材の各歯から防音材に伝達され、防音材により吸収され、従来の防音扉と比較して防音性能が飛躍的に向上する。これにより、グレモン錠を使用することなく、要求される防音性能を満たすことが可能となる。
【００１３】
（２）櫛状部材の歯が、桟の通り方向に対して直角方向を向くように配置されることによって、桟を経て伝達される音をより効率良く防音材に伝えて吸収させることが可能となり、より防音性能を向上させることが可能となる。
【００１４】
（３）桟と面板との間に帯板状の防音シートを介在させたことにより、面板から桟に伝達される音が、これらの間に介在させた帯板状の防音シートにより一部吸収された後、桟を経て、この桟に固定された櫛状部材の各歯から防音材に伝達され、防音材により吸収されるので、さらに防音性能を向上させることが可能となる。また、面板から桟に伝達される音の一部が帯板状の防音シートにより一部吸収されるので、桟を経て他方の面板に伝達される音を少なくすることができ、さらに防音性能が向上する。
【００１５】
（４）桟が複数本配設され、帯板状の防音シートが複数本の桟の表面側および裏面側に交互に配設されたものであることにより、面板から桟に伝達する音は、表面側または裏面側のいずれか一方で帯板状の防音シートにより一部吸収される。これにより、桟を経て他方の面板に伝達される音を少なくすることができるので、さらに防音性能を向上させることが可能となる。また、この帯板状の防音シートが配設されない面は、桟と面板とがより接近してしっかりと固定されるので、桟が面板の補強となり、音を受ける面板そのものの振動を抑えることができ、さらに防音性能が向上する。
【００１６】
（５）面板の内面全面に防音シートを貼り付けたことにより、面板で受けた音は、この面板の内面全面に貼り付けられた防音シートによって一部吸収された後、桟を経て、この桟に固定された櫛状部材の各歯から防音材に伝達され、防音材により吸収されるので、さらに防音性能を向上させることが可能となる。
【発明を実施するための最良の形態】
【００１７】
図１は本発明の実施の形態における防音扉の正面図、図２は図１のＡ−Ａ’線断面図、図３は図１の吸音部材の詳細を示す図であって、（ａ）は正面図、（ｂ）は平面図である。
【００１８】
図１および図２に示すように、本発明の実施の形態における防音扉１は、軽量溝形鋼を溶接することにより形成された四角形の枠状の框２と、上下の框２に溶接により接合された軽量溝形鋼からなる縦桟３と、框２および縦桟３を表裏両面から挟み込む面板４ａ，４ｂと、框２、縦桟３および面板４ａ，４ｂにより構成される空間に充填された防音材としてのグラスウールボード５とにより構成される。
【００１９】
縦桟３は、上下の框２に複数本架されている。また、各縦桟３には、図３に示す櫛状の吸音部材６が溶接により固定されている。吸音部材６は、歯６ａの部分が縦桟３の通り方向に対して直角方向（本実施形態においては垂直方向の縦桟３に対して水平方向）を向くように、背（棟）６ｂの部分が縦桟３のほぼ中央に固定されている。吸音部材６は、１．６ｍｍ厚の溶融亜鉛メッキ鋼板により形成されており、歯６ａの長さは約１３５ｍｍ、棟幅（毛引きから棟までの部分）は約２０ｍｍ、歯６ａの間隔は約２０ｍｍである。一方、隣り合う縦桟３の間隔は約１８５ｍｍであり、吸音部材６の歯６ａの先端は隣の縦桟３の近くに約３０ｍｍの間隔を開けて配置されている。
【００２０】
また、吸音部材６は、特に各歯６ａの表裏面が、框２、縦桟３および面板４ａ，４ｂにより構成される空間に充填されたグラスウールボード５に密着した状態である。なお、充填されるグラスウールボード５の密度は約４０ｋｇ／ｍｍ3である。
【００２１】
音源側の面板４ａの内面には、防音シート７が全面に貼り付けられている。また、縦桟３と面板４ａ，４ｂとの間には帯状の防音シート８が設けられているが、この帯状の防音シート８は、隣り合う縦桟３の表面側および裏面側に交互に設けられている。防音シート７，８は、鉛粉、鉄粉などの金属粉末をゴム、軟質プラスチップに添加配合して形成されたシートである。なお、縦桟３と面板４ａ，４ｂとの間の面であって、帯状の防音シート８が設けられていない面は、両面粘着テープ９により接着されている。
【００２２】
この構成の防音扉１では、音源側の面板４ａで受けた音（振動）は主に内部のグラスウールボード５により吸収されるとともに、音源側の面板４ａで受けた音の一部は縦桟３を経て、この縦桟３に固定された櫛状の吸音部材６の各歯６ａからグラスウールボード５に伝達され、グラスウールボード５により吸収される。そのため、この防音扉１は、従来の防音扉と比較して防音性能が飛躍的に向上している。したがって、この防音扉１では、グレモン錠を使用することなく、要求される防音性能を満たすことが可能である。
【００２３】
また、本実施形態における防音扉１では、櫛状の吸音部材６の歯６ａが、縦桟３の通り方向に対して直角方向を向くように配置されているので、縦桟３を経て伝達される音をより効率良くグラスウールボード５に伝えて吸収させることが可能であり、防音性能を向上させる要因の一つとなっている。
【００２４】
また、本実施形態における防音扉１では、縦桟３と面板４ａとの間に帯板状の防音シート８を介在させているので、面板４ａから縦桟３に伝達される音が、この防音シート８により一部吸収された後、縦桟３を経て、この縦桟３に固定された櫛状の吸音部材６の各歯６ａからグラスウールボード５に伝達され、グラスウールボード５により吸収される。また、面板４ａから縦桟３に伝達される音の一部が帯板状の防音シート８により一部吸収されるので、縦桟３を経て受音側の面板４ｂに伝達される音を少なくすることができる。
【００２５】
また、本実施形態における防音扉１では、縦桟３が複数本配設され、帯板状の防音シート８が複数本の縦桟３の表面側および裏面側に交互に配設されているので、面板４ａから縦桟３に伝達する音は、表面側または裏面側のいずれか一方で帯板状の防音シート８により一部吸収される。これにより、縦桟３を経て受音側の面板４ｂに伝達される音が少なくなり、さらに防音性能が向上する。また、この帯板状の防音シート８が配設されない面は、縦桟３と面板４ａ，４ｂとがより接近して両面粘着テープ９によりしっかりと固定されるので、縦桟３が面板４ａ，４ｂの補強となり、音を受ける面板そのものの振動を抑えることができ、さらに防音性能が向上している。
【００２６】
また、本実施形態における防音扉１では、面板４ａの内面全面に防音シート７が貼り付けられているので、面板４ａで受けた音は、この面板４ａの内面全面に貼り付けられた防音シート７によって一部吸収された後、縦桟３を経て、この縦桟３に固定された櫛状の吸音部材６の各歯６ａからグラスウールボード５に伝達され、グラスウールボード５により吸収される。
【００２７】
なお、上記実施形態では、縦桟３を用いた防音扉１を示したが、これに限らず横桟を用いてもよい。また、桟は溝形鋼以外にＨ形鋼やＬ形鋼も同様に用いることができる。また、材質も鋼に限らず、アルミニウム合金や木材などでよい。さらに開き戸に限らず引き戸としても良い。
【実施例】
【００２８】
本発明の防音扉について、日本工業規格（ＪＩＳＡ４７０２）に規定の遮音性能試験を行った。試験は、吸音部材６のみを備え、防音シート７，８を備えない試験体を用いて行った。なお、この試験体はグレモン錠を備えていない。図４は試験体による試験結果を示す図である。
【００２９】
図４に示すように、この試験体では、中心周波数１００〜２５００Ｈｚの音響透過損失は平均値で３１ｄＢ、遮音等級（建具）はＴ−１が得られた。すなわち、この試験体は、防音シート７，８を備えず、吸音部材６のみを備えた構造であるが、グレモン錠を使用することなく、遮音等級Ｔ−１が得られた。
【産業上の利用可能性】
【００３０】
本発明の防音扉は、視聴覚室や会議室などの防音が必要な開口部を開閉するための扉として有用である。特にグレモン錠を使用することなく、要求される防音性能を満たすことが可能であるため、軽量で安価な防音扉であるという点で好適である。
【図面の簡単な説明】
【００３１】
【図１】本発明の実施の形態における防音扉の正面図である。
【図２】図１のＡ−Ａ’線断面図である。
【図３】図１の吸音部材の詳細を示す図であって、（ａ）は正面図、（ｂ）は平面図である。
【図４】試験体による試験結果を示す図である。
【符号の説明】
【００３２】
１  防音扉
２  框
３  縦桟
４ａ，４ｂ  面板
５  グラスウールボード
６  吸音部材
６ａ  歯
６ｂ  背
７，８  防音シート
９  両面粘着テープ
【図１】
2006152724.tif 000003
【図２】
2006152724.tif 000004
【図３】
2006152724.tif 000005
【図４】
2006152724.tif 000006